(57)【要約】【課題】構造の信頼度を向上できる締結装置を提供する。【解決手段】本発明の締結装置１００は、ハウジングユニット２００と、ノブ５００と、制動ユニット４００と、コイル３００と、を備える。ノブ５００は、軸方向を軸としたときの周方向に沿って第１の位置及び第２の位置のどちらかに切り替えられるように制動ユニット４００を回転させ、制動ユニット４００は、第１の位置にある場合、コイル３００の第１の方向への回転を阻止するが、第２の位置にある場合、係止部４６０が少なくとも１つの係合歯２３０に係合され、コイル３００の第１の方向への回転を阻止しない。【選択図】図５
2021531218.tif 000002
【特許請求の範囲】
【請求項１】
軸方向を有し且つ複数の係合歯を含むハウジングユニットと、
前記軸方向に沿って前記ハウジングユニットに覆設されるノブと、
前記ノブに結合され且つ係止部を含む制動ユニットと、
ひもを巻き取るためのコイルとを備え、
前記ノブは回転して前記軸方向を回転軸としたときの周方向に沿って第１の位置及び第２の位置のどちらかに切り替えられるように前記制動ユニットを回転させ、
前記制動ユニットは、前記第１の位置にある場合、前記コイルによる前記ひもの放出を阻止するが、前記第２の位置にある場合、前記係止部が少なくとも１つの前記係合歯に係合され、前記コイルによる前記ひもの放出を阻止しないことを特徴とする締結装置。
【請求項２】
前記制動ユニットは、少なくとも１つの前記係合歯に選択的に係合されるクリック式係合アームを更に含み、前記係止部は、前記クリック式係合アームから前記ハウジングユニットの径方向に沿って外方へ突出することを特徴とする請求項１に記載の締結装置。
【請求項３】
前記クリック式係合アームは第１の高さＨ1を有し、前記係止部は第２の高さＨ2を有し、前記第１の高さＨ1及び前記第２の高さＨ2は、Ｈ2≦（Ｈ1／２）の関係を満たすことを特徴とする請求項２に記載の締結装置。
【請求項４】
前記クリック式係合アームは高さ中心線を有し、前記高さ中心線からみて前記ハウジングユニットのある側を下側とするとき、前記係止部は前記高さ中心線と同じ位置又は前記高さ中心線より下側に位置することを特徴とする請求項２に記載の締結装置。
【請求項５】
前記制動ユニットは環状本体を更に含み、前記クリック式係合アームは、前記環状本体に接続する近位端と、前記近位端から伸び出た遠位端と、を含み、前記近位端と前記遠位端との間に第１の距離Ｄ1を有し、前記係止部と前記近位端との間に第２の距離Ｄ2を有し、前記第１の距離Ｄ1及び前記第２の距離Ｄ2は、Ｄ2≦（２Ｄ1／３）の関係を満たすことを特徴とする請求項２に記載の締結装置。
【請求項６】
前記第１の距離Ｄ1及び前記第２の距離Ｄ2は、Ｄ2＝（Ｄ1／２）の関係を満たすことを特徴とする請求項５に記載の締結装置。
【請求項７】
軸方向を有するハウジングユニットと、
前記軸方向に沿って前記ハウジングユニットに覆設されるノブと、
前記ノブに結合され且つ係止部を含む制動ユニットと、
ひもが結合されるコイルとを備え、
前記ノブ又は前記ハウジングユニットが複数の係合歯を含み、前記ノブは回転して前記軸方向を回転軸としたときの周方向に沿って第１の位置及び第２の位置のどちらかに切り替えられるように前記制動ユニットを回転させ、
前記制動ユニットは、前記第１の位置にある場合、前記コイルによる前記ひもの放出を阻止するが、前記第２の位置にある場合、前記係止部が少なくとも１つの前記係合歯に係合され、前記コイルによる前記ひもの放出を阻止しないことを特徴とする締結装置。
【請求項８】
前記制動ユニットは、少なくとも１つの前記係合歯に選択的に係合されるクリック式係合アームを更に含み、前記係止部は、前記クリック式係合アームから前記ハウジングユニットの径方向に沿って外方へ突出することを特徴とする請求項７に記載の締結装置。
【請求項９】
前記クリック式係合アームは第１の高さＨ1を有し、前記係止部は第２の高さＨ2を有し、前記第１の高さＨ1及び前記第２の高さＨ2は、Ｈ2≦（Ｈ1／２）の関係を満たすことを特徴とする請求項８に記載の締結装置。
【請求項１０】
前記クリック式係合アームは高さ中心線を有し、前記高さ中心線からみて前記ハウジングユニットのある側を下とするとき、前記係止部は前記高さ中心線と同じ位置又は前記高さ中心線より下側に位置することを特徴とする請求項９に記載の締結装置。
【請求項１１】
前記制動ユニットは環状本体を更に含み、前記クリック式係合アームは、前記環状本体に接続する近位端と、前記近位端から伸び出た遠位端と、を含み、前記近位端と前記遠位端との間に第１の距離Ｄ1を有し、前記係止部と前記近位端との間に第２の距離Ｄ2を有し、前記第１の距離Ｄ1及び前記第２の距離Ｄ2は、Ｄ2≦（２Ｄ1／３）の関係を満たすことを特徴とする請求項１０に記載の締結装置。
【請求項１２】
前記第１の距離Ｄ1及び前記第２の距離Ｄ2は、Ｄ2＝（Ｄ1／２）の関係を満たすことを特徴とする請求項１１に記載の締結装置。
【発明の詳細な説明】
【技術分野】
【０００１】
本発明は締結装置に関し、特にひもを回収・放出可能な締結装置に関する。
【背景技術】
【０００２】
日常生活においてはよくひもやベルト等の線状物によって物品を締結するが、最もよく見られる締結手段として、例えばひも靴等のように物品の穴から線状物を往復して通り抜けさせ、また結び目を作って固定する手段がある。しかしながら、この締結手段は、外力要因により結び目が緩みやすく、結び目を再び結ばなければならず、物品をしっかりと締結することができない。これが大きな不便さをもたらす。
【０００３】
この問題を解決するため、当業者により、線状物を通過させるための貫通穴を有するケースと、制動ユニットと、バネとを備え、バネと制動ユニットとの間の作用力によって、線状物を制動ユニットとケースとの間に挟み込んで締結効果を達成し、またバネを押圧して制動ユニットの位置を変えることで、使用者が線状物を引けばその長さを変えることができる線状物の巻き戻し簡易装置が開発されている。この線状物の巻き戻し装置はバネの復帰力によって締結力を提供するものである。しかしながら依然として振動や外力要因により、線状物が緩みやすい。しかも、このような線状物の巻き戻し装置には線状物を収納する空間がないため、線状物が露出するため、より危険をもたらしやすい。
【０００４】
このため、他の当業者により、ベルトを巻き戻しさせるように締結して固定することのできる別の留め具が開発されている。この留め具は、留め具の内部にベルトを容置することができ、且つ内部の部材の機械力が干渉することによってベルトの長さを調整可能にすると共に、締結の締め付け度を調整するものである。しかしながら、この留め具は構造が複雑なため、製造コストが向上する。また、組み立てやメンテナンスが困難であるという問題もある。
【０００５】
そのため、当業者は絶えず留め具の内部の構造に調整や改善を加える開発を続けており、そのいずれも、構造を単純化する前提のもと、留め具の締結能力を保持し、構造の信頼度を向上させ、留め具の短命化を避けるようにしている。
【発明の概要】
【発明が解決しようとする課題】
【０００６】
これらに鑑み、いかに留め具等の締結装置の構造を効果的に改善するかが当業者の努力目標となっている。
【課題を解決するための手段】
【０００７】
本発明は、制動ユニットに係止部を配置することで、構造の信頼度が向上し、短命化が避けられる締結装置を提供することを目的とする。
【０００８】
（第一実施形態）
本発明の一態様による第一実施形態は、軸方向を有し且つ複数の係合歯を含むハウジングユニットと、軸方向に沿ってハウジングユニットに覆設されるノブと、ノブに結合され且つ係止部を含む制動ユニットと、ひもを巻き取るためのコイルとを備える締結装置である。ノブは回転して軸方向を回転軸としたときの周方向に沿って第１の位置及び第２の位置のどちらかに切り替えられるように前記制動ユニットを回転させる。制動ユニットは、第１の位置にある場合、コイルによるひもの放出を阻止するが、第２の位置にある場合、係止部が少なくとも１つの係合歯に係合され、コイルによるひもの放出を阻止しない。
【０００９】
よって、制動ユニットが第２の位置にある場合に係止部が少なくとも１つの係合歯に係合される構造は、制動ユニットが第２の位置から第１の位置に順調に切り替えられることに寄与し、構造の信頼度を向上させる。
【００１０】
好ましくは、制動ユニットは、少なくとも１つの係合歯に選択的に係合されるクリック式係合アームを更に含んでいてもよく、このとき係止部は、クリック式係合アームからハウジングユニットの径方向に沿って外方へ突出するように形成されている。または好ましくは、クリック式係合アームは第１の高さＨ1を有し、係止部は第２の高さＨ2を有し、第１の高さＨ1と第２の高さＨ2は、Ｈ2≦（Ｈ1／２）の関係を満たしてよい。または好ましくは、クリック式係合アームは高さ中心線を有し、高さ中心線からみてハウジングユニットのある側を下側とするとき、係止部は高さ中心線と同じ位置又は前記高さ中心線より下側に位置することであってもよい。
【００１１】
好ましくは、制動ユニットは環状本体を含んでいてもよく、このときクリック式係合アームは、環状本体に接続する近位端と、近位端から伸び出た遠位端と、を含み、近位端と遠位端との間に第１の距離Ｄ1を有し、係止部と近位端との間に第２の距離Ｄ2を有し、第１の距離Ｄ1及び第２の距離Ｄ2は、Ｄ2≦（２Ｄ1／３）の関係を満たしていてもよい。または好ましくは、第１の距離Ｄ1及び第２の距離Ｄ2は、Ｄ2＝（Ｄ1／２）の関係を満たしていてもよい。
【００１２】
（第二実施形態）
本発明の一態様による第二実施形態は、軸方向を有するハウジングユニットと、軸方向に沿ってハウジングユニットに覆設されるノブと、ノブに結合され且つ係止部を含む制動ユニットと、ひもが結合されるコイルとを備える締結装置である。ノブまたはハウジングユニットが複数の係合歯を含み、ノブは回転して軸方向を回転軸としたときの周方向に沿って第１の位置及び第２の位置のどちらかに切り替えられるように制動ユニットを回転させ、制動ユニットは、第１の位置にある場合、コイルによるひもの放出を阻止するが、第２の位置にある場合、係止部が少なくとも１つの係合歯に係合され、コイルによるひもの放出を阻止しない。
【００１３】
好ましくは、制動ユニットは、少なくとも１つの係合歯に選択的に係合されるクリック式係合アームを更に含んでいてもよく、このとき係止部は、クリック式係合アームからハウジングユニットの径方向に沿って外方へ突出するように形成されている。または好ましくは、クリック式係合アームは第１の高さＨ1を有し、係止部は第２の高さＨ2を有し、第１の高さＨ1及び第２の高さＨ2は、Ｈ2≦（Ｈ1／２）の関係を満たしてもよい。または、クリック式係合アームは高さ中心線を有し、係止部は高さ中心線と同じ位置又は前記高さ中心線より下側に位置することであってよい。
【００１４】
前記の締結装置の複数の実施例によると、制動ユニットは環状本体を更に含んでよく、クリック式係合アームは、環状本体に接続される近位端と、近位端から伸び出た遠位端と、を含み、近位端と遠位端との間に第１の距離Ｄ1を有し、係止部と近位端との間に第２の距離Ｄ2を有し、第１の高さＨ1及び第２の高さＨ2は、Ｄ2≦（２Ｄ1／３）の関係を満たしていてもよい。または好ましくは、第１の距離Ｄ1及び第２の距離Ｄ2とは、Ｄ2＝（Ｄ1／２）の関係を満たしていてもよい。
【図面の簡単な説明】
【００１５】
【図１】本発明の第一実施例による締結装置を模式的に示す斜視図である。
【図２】図１の締結装置を模式的に示す分解斜視図である。
【図３】図１の締結装置を模式的に示す別の分解斜視図である。
【図４】図１の締結装置を模式的に示す断面図である。
【図５】図１の締結装置を模式的に示す別の断面図である。
【図６】図４の締結装置を切断面線６−６に沿って切った断面を模式的に示す断面図である。
【図７】図５の締結装置を切断面線７−７に沿って切った断面を模式的に示す断面図である。
【図８】図４の締結装置を切断面線８−８に沿って切った断面を模式的に示す断面図である。
【図９】本発明の第二実施例による締結装置を模式的に示す斜視図である。
【図１０】図９の締結装置を模式的に示す分解斜視図である。
【図１１】図９の締結装置を模式的に示す別の分解斜視図である。
【図１２】図９の締結装置を模式的に示す断面図である。
【図１３】図９の締結装置を模式的に示す別の断面図である。
【発明を実施するための形態】
【００１６】
以下、添付図面に合わせて、本発明の実施例を説明する。明確に説明するため、多くの実際的な細部を、以下説明する。しかしながら、これらの実際的な細部は本発明を限定するためのものではない。つまり本発明の実施形態の一部において、これらの実際的な細部は必ずしも必要とされない。また図面を簡略化するため、従来技術の構造および素子は、図面において簡単に模式的に示す。また、繰り返し登場する素子については、同一または類似の番号で示すことがある。
【００１７】
また本明細書において、ある素子（または機構やモジュール等）が別の素子に「接続」、「設置」または「結合」される場合、前記素子が別の素子に直接接続、直接設置または直接結合されることを指してもよいし、ある素子が別の素子に間接接続、間接設置または間接結合されることを指してもよい。つまり他の素子が前記素子と別の素子との間に介在することがあり、またある素子が別の素子に「直接接続」、「直接設置」または「直接結合」されることが明示される場合以外に他の素子が前記素子と別の素子との間に介在することはないことを表す。「第１の」、「第２の」、「第３の」等の用語は、単に異なる素子や成分を記述するためのものであり、素子／成分そのものを制限するものではないため、第１の素子／成分は、第２の素子／成分と言い換えられてもよい。さらに、本明細書における素子／成分／機構／モジュールの組み合わせは、この分野において、一般に周知の、常識的な、または既知の組み合わせではない。素子／成分／機構／モジュールそのものが既知であるか否かによって、その組合せ関係が当業者により容易に想到されるか否かをを判定することはできない。
【００１８】
（第一実施例）
図１、図２、図３、図４、図５、図６、図７および図８を参照されたい。図１は本発明の第一実施例による締結装置１００を模式的に示す斜視図であり、図２は図１の締結装置１００を模式的に示す分解斜視図であり、図３は図１の締結装置１００を模式的に示す別の分解斜視図であり、図４は図１の締結装置１００を模式的に示す断面図であり、図５は図１の締結装置１００を模式的に示す別の断面図であり、図６は図４の締結装置１００を６−６線に沿って切った断面を模式的に示す断面図であり、図７は図５の締結装置１００を７−７線に沿って切った断面を模式的に示す断面図であり、図８は図４の締結装置１００を８−８線に沿って切った断面を模式的に示す断面図である。締結装置１００は、ハウジングユニット２００と、ノブ５００と、制動ユニット４００と、コイル３００と、を備える。
【００１９】
ハウジングユニット２００は軸方向Ｉ１を有し且つ複数の係合歯２３０を含み、ノブ５００は軸方向Ｉ１に沿ってハウジングユニット２００に覆設され、制動ユニット４００はノブ５００に結合され且つ係止部４６０を含み、コイル３００はひも（図示せず）により巻き取られる。ノブ５００の回転によって制動ユニット４００が軸方向Ｉ１に沿って第１の位置と第２の位置とで切り替えられるように回転され、制動ユニット４００は、第１の位置にある場合、コイル３００のひもの放出を阻止する。つまり、コイル３００の第１の方向Ａ１への回転を阻止するが、第２の位置にある場合、係止部４６０が少なくとも１つの係合歯２３０に係合され、コイル３００のひもの放出を阻止しない。つまり、コイル３００の第１の方向Ａ１への回転を阻止しない。
【００２０】
よって、制動ユニット４００が第２の位置にある場合、係止部４６０が少なくとも１つの係合歯２３０に係合する構造は、制動ユニット４００が順調に第２の位置から第１の位置に切り替えられることに寄与し、構造の信頼度を向上させる。以下、締結装置１００の細部構造を詳しく説明する。
【００２１】
ハウジングユニット２００は、径方向を有し、また内部空間２４０を取り囲む環状壁２２０と、環状壁２２０を設けるためのベース２１０と、を含み、且つ環状壁２２０は係合するようにベース２１０に設けられてよい。複数の係合歯２３０は、内部空間２４０に向かうように環状壁２２０に位置し、且つ環状壁２２０の上端に位置する。
【００２２】
コイル３００は、ひもを巻き取るための環状軌道３１０と、制動ユニット４００に選択的に結合される複数の嵌合歯部３２０と、を含み、中空環状となり、内部空間２４０に位置する。コイル３００が回転されると、ひもは、コイル３００につれて異なる方向へ回転して回収または放出することができる。
【００２３】
ノブ５００は、ノブ５００の内壁に設けられる案内軌道５１０と、軸方向Ｉ１に沿って内部空間２４０へ突出するボス５２０と、径方向に沿ってボス５２０の外側に対称に設けられる２つの位置決めブロック５４０と、を含む。
【００２４】
制動ユニット４００は、環状本体４４０と、２つの保持部４１０、４２０、３つの案内部４３０と、３つのクリック式係合アーム４５０と、３つの係止部４６０と、複数の嵌合係合歯４７０と、中心孔（図示せず）と、２つのバンプ４９１、４９２と、を含む。中心孔は環状本体４４０の中央に位置し、案内部４３０は環状本体４４０から外向きに突出する傾斜した歯構造であり且つノブ５００に結合されることに用いられる。２つの保持部４１０、４２０は、環状本体４４０から内側に突出し且つ互いに対称に設けられ、各々自由端４１１、４２１を含み、自由端４１１、４２１が力を受けると径方向に沿って移動することができ、外力が解放された後で復帰することができる。２つのバンプ４９１、４９２は、環状本体４４０から内側に突出し、且つ２つの自由端４１１、４２１との間に間隔を有する。嵌合係合歯４７０は、環状本体４４０の下方に位置し、コイル３００の嵌合歯部３２０に選択的に噛み合うことができる。
【００２５】
各クリック式係合アーム４５０は、環状本体４４０の外面に接続される近位端４５１と、係合歯２３０に分離可能に噛み合うための遠位端４５２と、を含み、少なくとも１つの係合歯２３０に選択的に係合される。３つの係止部４６０は、径方向に沿って外方へ突出するようにクリック式係合アーム４５０に位置し、且つ単歯構造を有する。好ましくは、クリック式係合アーム４５０は第１の高さＨ1を有し、係止部４６０が第２の高さＨ2を有し、Ｈ2≦（Ｈ1／２）の関係を満たす。より好ましくは、クリック式係合アーム４５０は高さ中心線Ｌ１を有し、係止部４６０は高さ中心線Ｌ１と同じ位置又は前記高さ中心線より下側に位置することであるが、図４の実施例において、係止部４６０は高さ中心線Ｌ１よりも低い。ここで特に説明すべきなのは、上記の第１の高さＨ1とはクリック式係合アーム４５０の軸方向Ｉ１に沿った最大の高さであるため、クリック式係合アーム４５０の各部位の高さが異なる場合、最大の高さを第１の高さＨ1とする。
【００２６】
図４および図６に示すように、制動ユニット４００が第１の位置にあり、その嵌合係合歯４７０がコイル３００の嵌合歯部３２０に噛み合う条件が満たされる場合、クリック式係合アーム４５０の遠位端４５２（図２参照）は、第１の方向Ａ１（図２参照）において係合歯２３０に噛み合うが、第２の方向Ａ２（図２参照）において係合歯２３０から絶えずに分離し、係止部４６０は、位置が係合歯２３０よりも相対的に低いので、係合歯２３０に噛み合わない。そのため、第２の方向Ａ２へノブ５００を回転させることで、制動ユニット４００を回転させてコイル３００が糸を回収するように連動させることができるが、且つノブ５００が作動しない場合、クリック式係合アーム４５０の遠位端４５２は、コイル３００の第１の方向Ａ１への回転を防止するように係合歯２３０に当接し、ひもが放出されることを防止することができる。
【００２７】
また、ノブ５００の第１の方向Ａ１への回転によって、制動ユニット４００が軸方向Ｉ１に沿って上昇するように回転させて、制動ユニット４００とコイル３００とを分離させることができる。より詳しくは、制動ユニット４００が第１の位置にある場合、案内部４３０とノブ５００の案内軌道５１０とは噛み合い、且つ図８に示すように、その一方の位置決めブロック５４０は保持部４１０の自由端４１１とバンプ４９１との間に位置するが、他方の位置決めブロック５４０は保持部４２０の自由端４２１とバンプ４９２との間に位置する。ノブ５００が第１の方向Ａ１へ回転する場合、制動ユニット４００は、クリック式係合アーム４５０と係合歯２３０との噛み合い関係により制限され、共に回転できないため、２つの位置決めブロック５４０がそれぞれ２つの自由端４１１、４２１に押し付けられ、２つの自由端４１１、４２１が径方向に沿って変形することで、ノブ５００は、制動ユニット４００に対して回転できるようになり、案内部４３０は、案内軌道５１０により案内されて案内軌道５１０に対して軸方向Ｉ１に沿って上昇し、制動ユニット４００が第２の位置にあるように切り替える。この場合、前記その一方の位置決めブロック５４０は保持部４１０の自由端４１１とバンプ４９２との間に位置するようになり、前記他方の位置決めブロック５４０は保持部４２０の自由端４２１とバンプ４９１との間に位置するようになる。
【００２８】
図５に示すように、制動ユニット４００が第２の位置にあり、その嵌合係合歯４７０がコイル３００の嵌合歯部３２０から分離するため、この場合、コイル３００は、制動ユニット４００により影響されず、第１の方向Ａ１（図２参照）へ回転することができ、ひもを引くことでひもを放出することができる。
【００２９】
図７に示すように、制動ユニット４００が軸方向Ｉ１に沿って上昇した後で、係止部４６０は、係合歯２３０との相対的位置が変えられ、係合歯２３０に噛み合うようになる。ベルトを再び固定または締結しようとする場合、ノブ５００を第２の方向Ａ２へ回転させ、２つの位置決めブロック５４０がそれぞれ２つの自由端４１１、４２１に押し付けられ、２つの自由端４１１、４２１が径方向に沿って変形するようにすることで、ノブ５００を制動ユニット４００に対して回転させて、前記その一方の位置決めブロック５４０を保持部４１０の自由端４１１とバンプ４９１との間に復帰させ、前記他方の位置決めブロック５４０を保持部４２０の自由端４２１とバンプ４９２との間に復帰させるだけでよい。
【００３０】
一般的には、同じ力が与えられる場合、クリック式係合アーム４５０が力を受けて径方向に沿って変形する能力は、保持部４１０、４２０が力を受けて径方向に沿って変形する能力よりも小さい。そのため、第２の方向Ａ２へノブ５００を回転させる場合、クリック式係合アーム４５０は、容易に変形せず、且つ制動ユニット４００がノブ５００につれて回転しないように、その係合歯２３０との摩擦力が保持部４１０、４２０の耐えられ得る圧力よりも大きいので、２つの保持部４１０、４２０の２つの自由端４１１、４２１は、径方向に沿って変形するように押し付けられ、制動ユニット４００の位置を切り替える目的を達成することができる。
【００３１】
しかしながら、制動ユニット４００のクリック式係合アーム４５０は、長期的に曲げられた状態にあるため、定型化されやすい。従って、制動ユニット４００が第２の位置にあり、且つ第２の方向Ａ２へノブ５００を回転させることで制動ユニット４００が第１の位置に戻すように切り替える場合、係止部４６０による補助がなければ、クリック式係合アーム４５０と係合歯２３０との間は、定型の要因により、摩擦力が不足になり、第２の方向Ａ２へノブ５００を回転させる場合に、クリック式係合アーム４５０が係合歯２３０から絶えずに緩み、更に２つの位置決めブロック５４０は２つの自由端４１１、４２１が変形するように押し付けることができず、最終に制動ユニット４００が位置を切り替えない状況になる。
【００３２】
係止部４６０が設けられる場合、係止部４６０が係合歯２３０に噛み合うので、第２の方向Ａ２へノブ５００を回転させる場合、クリック式係合アーム４５０が係合歯２３０から緩むことができず、２つの位置決めブロック５４０は２つの自由端４１１、４２１に力を加えて変形させ、更に位置を切り替える目的を達成する。
【００３３】
好ましくは、近位端４５１と遠位端４５２との間に第１の距離Ｄ1を有し、係止部４６０と近位端４５１との間に第２の距離Ｄ2を有し、Ｄ2≦（２Ｄ1／３）の関係を満たす。より好ましくは、第１の距離Ｄ1と第２の距離Ｄ2とは、Ｄ2＝（Ｄ1／２）の関係を満たす。クリック式係合アーム４５０が係合歯２３０に係合される場合、近位端４５１の変形量が遠位端４５２の変形量よりも小さいため、長期間にわたる使用で、定型化される影響も小さいので、係止部４６０の設置が上記関係に該当する場合、構造の安定性の向上に寄与する。他の実施例において、係止部は、案内部の下方に位置するように環状本体に設けられてもよい。しかし、これに限定されない。
【００３４】
ここで特に説明すべきこととして、図１〜図７の実施例において、クリック式係合アーム４５０の遠位端４５２は、制動ユニット４００が第２の位置にある場合に依然として係合歯２３０に係合されるが、他の実施例において、クリック式係合アームの遠位端は、制動ユニットが第２の位置にある場合、係止部のみが係合歯に噛み合うように、係合歯への噛み合いから完全に係脱してもよいということがある。しかし、以上の開示に限定されない。
【００３５】
他の実施例において、係合歯は、ノブに位置してもよい。つまり、ノブまたはハウジングユニットの中の１つが複数の係合歯を含んでよい。しかし、添付図面の開示に限定されない。
【００３６】
（第二実施例）
図９、図１０、図１１、図１２および図１３を参照されたい。図９は本発明の第二実施例による締結装置１００ａを模式的に示す斜視図であり、図１０は図９の締結装置１００ａを模式的に示す分解斜視図であり、図１１は図９の締結装置１００ａを模式的に示す別の分解斜視図であり、図１２は図９の締結装置１００ａを模式的に示す断面図であり、図１３は図９の締結装置１００ａを模式的に示す別の断面図である。締結装置１００ａは、ハウジングユニット２００ａと、ノブ５００ａと、制動ユニット４００ａと、コイル３００ａと、を備える。締結装置１００ａの作動原理は、図１の締結装置１００と類似であり、下記のように説明する。
【００３７】
ハウジングユニット２００ａは、環状壁２２０ａと、コイル空間２５０ａを封止するようにベース２１０ａに覆設されるケース２７０ａと、ベース２１０ａと、ベース２１０ａに位置するコイル空間２５０ａと、ケース２７０ａに位置する内部空間２４０ａと、内部空間２４０ａの下方に位置するようにケース２７０ａに位置し、内部空間２４０ａと連通する連通空間２６０ａと、複数の係合歯２３０ａと、を含む。環状壁２２０ａは内部空間２４０ａに位置し、係合歯２３０ａは内部空間２４０ａに向かうように環状壁２２０ａに設けられる。
【００３８】
制動ユニット４００ａは、環状本体（図示せず）、２つの駆動ブロック４９０ａ、３つの案内部４３０ａ、３つの保持部４１０ａ、３つのクリック式係合アーム４５０ａ、３つの係止部４６０ａおよび複数の嵌合係合歯４７０ａを含み、３つの案内部４３０ａ、３つの保持部４１０ａおよび３つのクリック式係合アーム４５０ａが環状本体の外面に凸設され、２つの駆動ブロック４９０ａが環状本体の内面に凸設され、３つの係止部４６０ａがそれぞれ３つのクリック式係合アーム４５０ａに位置し、且つ係止部４６０ａが二歯構造を有し、更に、構造の安定性の向上に寄与することができる。
【００３９】
ノブ５００ａは、ボス（図示せず）、案内軌道５１０ａ、２つの位置決めブロック５４０ａおよび３つの押付ブロック５３０ａを含み、案内軌道５１０ａおよび３つの押付ブロック５３０ａがノブ５００ａの内壁に設けられ、ボスと２つの位置決めブロック５４０ａとの関係は、図３のボス５２０および２つの位置決めブロック５４０の構造と類似である。
【００４０】
ノブ５００ａが第１の方向Ａ１へ回転する場合、各押付ブロック５３０ａは、各保持部４１０ａが変形するように押し付けて、ノブ５００ａが制動ユニット４００ａに対して回転できるようにし、案内部４３０ａが案内軌道５１０ａにより案内されて案内軌道５１０ａに対して軸方向に沿って上昇し、制動ユニット４００ａが第２の位置にあるように切り替える。それに対して、ノブ５００ａが第２の方向Ａ２へ回転する場合、各押付ブロック５３０ａは、各保持部４１０ａが変形するように押し付け、ノブ５００ａが制動ユニット４００ａに対して回転できるようにし、案内部４３０ａが案内軌道５１０ａにより案内されて案内軌道５１０ａに対して軸方向に沿って降下し、制動ユニット４００ａが第１の位置にあるように切り替える。
【００４１】
締結装置１００ａは、更に、上歯部６１１ａおよび下歯部６１２ａを含む第１の伝達歯車６１０ａと、外歯部６２２ａおよび内歯部６２１ａを含む第２の伝達歯車６２０ａと、を含む。
【００４２】
コイル３００ａは、コイル空間２５０ａに収容され且つ嵌合歯部３２０ａを含むが、第２の伝達歯車６２０ａは、コイル３００ａの上方に設けられ、且つ内歯部６２１ａが嵌合歯部３２０ａに噛み合う。第１の伝達歯車６１０ａが連通空間２６０ａに設けられ、制動ユニット４００ａが内部空間２４０ａに設けられ、第１の伝達歯車６１０ａの上歯部６１１ａが制動ユニット４００ａの嵌合係合歯４７０ａに噛み合い、第１の伝達歯車６１０ａの下歯部６１２ａが第２の伝達歯車６２０ａの外歯部６２２ａに分離可能に噛み合う。
【００４３】
図１２に示すように、制動ユニット４００ａが第１の位置にあり、第１の伝達歯車６１０ａの下歯部６１２ａが第２の伝達歯車６２０ａに噛み合う条件が満たされる場合、クリック式係合アーム４５０ａの遠位端（図示せず）は、第１の方向Ａ１において係合歯２３０ａに噛み合うが、第２の方向Ａ２において係合歯２３０ａから絶えずに分離し、係止部４６０ａは、位置が係合歯２３０ａよりも相対的に低いので、係合歯２３０ａに噛み合わない。そのため、第２の方向Ａ２へノブ５００ａを回転させることで、制動ユニット４００ａを回転させてコイル３００ａが第１の方向Ａ１へ回転して糸を回収するように連動させることができるが、ノブ５００ａが作動しない場合、クリック式係合アーム４５０ａの遠位端は、コイル３００ａの回転を防止するように係合歯２３０ａに当接し、ひもが放出されることを防止することができる。
【００４４】
ノブ５００を回転させることで案内部４３０ａを案内軌道５１０ａに沿って上昇させ、制動ユニット４００ａが第１の位置から第２の位置まで切り替えられるようにする。そのため、図１３に示すように制動ユニット４００ａによって第１の伝達歯車６１０ａが上昇するように回転させ、第１の伝達歯車６１０ａの下歯部６１２ａが第２の伝達歯車６２０ａから分離する。この場合、コイル３００ａは、制動ユニット４００ａにより影響されず、第２の方向Ａ２へ回転することができ、ひもを引くことでひもを放出することができる。この場合、制動ユニット４００ａが軸方向に沿って上昇することで、係止部４６０ａと係合歯２３０ａとの相対的位置が変えられ、係止部４６０ａが係合歯２３０ａに噛み合うようになる。
【００４５】
本発明の実施例を前述の通りに開示したが、本発明はそれらに限定されず、当業者であれば、本発明の精神と範囲から逸脱しない限り、多様な変更や修飾を加えてもよい。従って本発明の保護範囲は、特許請求の範囲で指定した内容を基準とする。
【符号の説明】
【００４６】
６、７、８  切断面線
１００、１００ａ  締結装置
２００、２００ａ  ハウジングユニット
２１０、２１０ａ  ベース
２２０、２２０ａ  環状壁
２３０、２３０ａ  係合歯
２４０、２４０ａ  内部空間
２５０ａ  コイル空間
２６０ａ  連通空間
２７０ａ  ケース
３００、３００ａ  コイル
３１０  環状軌道
３２０、３２０ａ  嵌合歯部
４００、４００ａ  制動ユニット
４１０、４１０ａ、４２０  保持部
４１１、４２１  自由端
４３０、４３０ａ  案内部
４４０  環状本体
４５０、４５０ａ  クリック式係合アーム
４５１  近位端
４５２  遠位端
４６０、４６０ａ  係止部
４７０、４７０ａ  嵌合係合歯
４９０ａ  駆動ブロック
４９１、４９２  バンプ
５００、５００ａ  ノブ
５１０、５１０ａ  案内軌道
５２０  ボス
５３０ａ  押付ブロック
５４０、５４０ａ  位置決めブロック
６１０ａ  第１の伝達歯車
６１１ａ  上歯部
６１２ａ  下歯部
６２０ａ  第２の伝達歯車
６２１ａ  内歯部
６２２ａ  外歯部
Ａ１  第１の方向
Ａ２  第２の方向
Ｈ1  第１の高さ
Ｈ2  第２の高さ
Ｌ１  高さ中心線
Ｄ1  第１の距離
Ｄ2  第２の距離
Ｉ１  軸方向
【図１】
2021531218.tif 000003
【図２】
2021531218.tif 000004
【図３】
2021531218.tif 000005
【図４】
2021531218.tif 000006
【図５】
2021531218.tif 000007
【図６】
2021531218.tif 000008
【図７】
2021531218.tif 000009
【図８】
2021531218.tif 000010
【図９】
2021531218.tif 000011
【図１０】
2021531218.tif 000012
【図１１】
2021531218.tif 000013
【図１２】
2021531218.tif 000014
【図１３】
2021531218.tif 000015
【国際調査報告】
2021531218.tif 000016
2021531218.tif 000017
2021531218.tif 000018
2021531218.tif 000019
2021531218.tif 000020